(57)【要約】【課題】羽根を構成する羽根後縁部に櫛状の繊維を設けた構造にすることで、羽根後縁部と櫛状の繊維を構成する束との隙間に停滞する渦をあえて生成させ自由表面のような状態で羽根後縁部を構成することができ、停滞を続けられずに漏れる渦が櫛状の繊維と干渉することで減衰させることができる室外機を提供する。【解決手段】回転駆動され円筒形状に形成されたハブの外周上に羽根形状を有する複数枚の羽根を備えたプロペラファンを有し、該羽根が回転方向前方側に位置する羽根前縁部から後方側に位置する羽根後縁部に向けて所定の傾斜角を持って設けてなる室外機であって、前記羽根後縁部の延長上に束にした繊維を櫛状に取付けたことである。【選択図】  図１
2010255951.tif 000002
【特許請求の範囲】
【請求項１】
回転駆動されハブの外周上に翼形状を有する複数枚の羽根を備えたプロペラファンを有し、該羽根が回転方向前方側に位置する前縁部から後方側に位置する後縁部に向けて所定の傾斜角を持って設けてなる室外機であって、
前記後縁部に繊維を櫛状に取付けたことを特徴とする室外機。
【請求項２】
前記後縁部の外側位置に前記繊維を櫛状に取付けたことを特徴とする請求項１に記載の室外機。
【請求項３】
前記櫛状の繊維は、束にした繊維を櫛状に取付けたことを特徴とする請求項１または請求項２に記載の室外機。
【請求項４】
帯状に形成した、前記櫛状の繊維を前記後縁部に取付けたことを特徴とする請求項１から請求項３のいずれかに記載の室外機。
【発明の詳細な説明】
【技術分野】
【０００１】
本発明は、室外機に関し、詳しくは空力騒音低減のための羽根後縁部に細工を施した室外機に関する。
【背景技術】
【０００２】
従来技術におけるプロペラファンは、回転軸を枢支するためのハブの外周に複数枚の羽根を形成して構成されており、空力特性を考慮した場合、羽根前縁部から羽根後縁部に向かって次第に肉厚が薄くなるエアフォイル形状の羽根が採用されている。そして、このエアフォイル構造の羽根後縁部には送風音低減用の鋸歯形状のセレーションを設けた構造となっている。
また、羽根後縁部に弾性翼を取り付けた構造の羽根も存在し、それは羽根を過ぎる流速や迎角の変化に応じてねじることで羽根後縁での渦の発生を抑えようとするものである。
【先行技術文献】
【特許文献】
【０００３】
【特許文献１】特開２００４−１１４２３号公報
【発明の概要】
【発明が解決しようとする課題】
【０００４】
しかし、従来技術で説明した、プロペラファンにおいては、セレーションを取付けて送風音を低減させるとしても、鋸歯形状のセレーションのピッチを狭くするには限界がある。
【０００５】
また、羽根後縁部に弾性翼を取り付けた羽根については、羽根後縁は正圧面側と負圧面側の空気の流れが合流する点であり、この部分の空気の流れは不安定で、剥離と再付着を繰り返すことによるバタツキを起こす。そのため、弾性翼の場合はこの振動の影響を受けてしまうことになり、振動を繰り返すうち弾性翼の部分が、ある程度の領域において共振し大きな騒音を発生させてしまうことになる。
特に、軽量化目的で薄肉化の傾向にある小型のファンにおいては、弾性翼を取り付けることは適さない。
【０００６】
従って、正圧面側と負圧面側の空気の流れが合流する羽根後縁部において、空気の不安定な流れを抑制する構造に解決しなければならない課題を有する。
【課題を解決するための手段】
【０００７】
上記課題を解決するために、本願発明の室外機は、次に示す構成にしたことである。
【０００８】
（１）本発明の室外機は、回転駆動されるハブの外周上に翼形状を有する複数枚の羽根を備えたプロぺラファンを有し、該羽根が回転方向前方側に位置する前縁部から後方側に位置する後縁部に向けて所定の傾斜角を持って設けてなる室外機であって、前記後縁部に繊維を櫛状に取付けたことにある。
（２）前記後縁部の外側位置に前記繊維を櫛状に取付けたことを特徴とする（１）に記載の室外機。
【０００９】
（３）櫛状の繊維は、束にした繊維を櫛状に取付けたことを特徴とする（１）または（２）に記載の室外機。
（４）帯状に形成した櫛状の繊維を前記後縁部に取付けたことを特徴とする（１）から（３）のいずれかに記載の室外機。
【発明の効果】
【００１０】
本発明によれば、羽根を構成する羽根後縁部に櫛状の繊維を設けた構造にすることで、羽根後縁部と櫛状の繊維を構成する束との隙間に停滞する渦をあえて生成させ渦の鏡像効果により自由表面のような状態で羽根後縁部を構成することによって渦を弱めることができる。また、どうしても停滞を続けられずに漏れる渦が櫛状の繊維と干渉することで騒音を低減させることができる。
また、櫛状の繊維は束ねたもので構成することにより、ある繊維が共振を始めても周りの繊維と接触することで共振を抑えることができる。
【図面の簡単な説明】
【００１１】
【図１】本願発明に係る室外機の概略図である。
【図２】同、プロペラファンを一方向からみた斜視図である。
【図３】同、プロペラファンの上面図である。
【図４】同、プロペラファンの側面図である。
【図５】同、帯状部材で形成した櫛状の繊維を取付けた様子を示す上面図である。
【発明を実施するための形態】
【００１２】
次に、本願発明に係る空気調和機用室外機に採用される送風機用ファンであるプロペラファンの回転羽根が対象となっている本願発明の実施形態について、図面を参照して以下説明する。
【００１３】
本願発明の空気調和機用室外機は、図１に示すように、ケーシング１１と、ケーシング１１に設けられた空気吸込口１２と、ケーシング１１内部に設置してある図示しない熱交換器と、空気吸込口１２から吸込んだ空気を外方向に吹出す空気吹出口１３と、空気吹出口１３に設けられているベルマウス１４と、このベルマウス１４に挟まれた状態でモータの回転駆動により回転するプロペラファン１５とから大略構成されている。
【００１４】
プロペラファン１５は、図２乃至図４に示すように、回転駆動され円筒形状に形成されたハブ１６と、このハブ１６の外周に翼形状を有する４枚の羽根１７ａ、１７ｂ、１７ｃ、１７ｄが送風方向に所定の傾斜角を有して所定の羽根間ピッチで設けられている。
この羽根１７ａ、１７ｂ、１７ｃ、１７ｄは、ハブ１６に傾斜して一体に形成されており、扇状に形成された羽根本体部１８からなる。この羽根本体部１８は、ハブ１６から下部方向の曲線形状に延びて形成された羽根前縁部１９、羽根前縁部１９から立ち上げる方向に先端部２１をアール形状に形成してハブ１６の上部位置に至るように形成された羽根後縁部２２を有する。
この羽根前縁部１９から羽根後縁部２２に向かって次第に肉厚が薄くなるエアフォイル形状となっている。
【００１５】
さて、このような構造の羽根１７ａ、１７ｂ、１７ｃ、１７ｄに対して、特に羽根後縁部２２の延長上（半径方向）で外側から内側まで、好ましくは少なくとも外側の位置に合成繊維毛からなる繊維２３を櫛状に取付けた構造となっている。
【００１６】
櫛状の繊維２３は、図２に示すように、複数の合成繊維毛２４を羽根後縁部２２に植え付けるようにしたもので、複数の合成繊維毛２４を束にして植え付け、順次外側方向から内側方向に向けて束にした合成繊維毛２４を所定間隔を持って植え付けるというものである。この合成繊維毛２４の長さは５〜２０ｍｍ、束にした径は２〜５ｍｍ、束の間隔は３〜５ｍｍである。
【００１７】
この櫛状の繊維２３は、羽根後縁部２２の外側から内側に沿って取付けたがこれに限定されることなく、例えば羽根後縁部２２の外側位置のみに取付けてもよく、或いは、内側位置のみに取付けてもよい。
【００１８】
また、櫛状の繊維２３の取付け方向は、羽根後縁部２２の延長線上になるように取付けたが、これに限定されることなく、例えば、羽根後縁部２２に対して角度を付けた状態で取付けてもよい。
【００１９】
更に、櫛状の繊維２３を羽根後縁部２２に取付ける際には、羽根後縁部２２の下寄りに取り付けるか、又は上寄りに取付けるか、又は中央位置に取り付けるようにしてもよく、実施例においては中央位置に取り付けるようになっている。
【００２０】
また、櫛状の繊維２３を形成する、複数の合成繊維毛２４の束２５であるが、束２５にする合成繊維毛２４の長さは、全て同じ長さに形成されているが、これに限定されることなく、毛の長さが異なったものを束にしてもよい。更に、束にした合成繊維毛２４の幅方向の長さを、上側から下側に向かって序々に短くする構成、或いは逆に上側から下側に向かって序々に長くする構成にしても良いし、合成繊維毛２４の毛先を鋭利にした構成にしてもよい。更に、合成繊維毛２４の毛先の細い毛と太い毛を混合させるようにしてもよい。
【００２１】
次に、図５に示すように、櫛状の繊維を羽根後縁部２２に取付ける方法であるが、羽根後縁部２２に直接植え付ける上述した実施例の他に、櫛状の合成繊維毛からなる繊維を予め帯状に作成しておく。そして、この帯状に形成した櫛状の合成繊維毛からなる繊維２３ａを羽根後縁部２２に接着剤で貼り付ける。
その他の取付け方法として、帯状に形成した櫛状の合成繊維毛からなる繊維２３ａを羽根後縁部２２にリベットで取付ける構成にしてもよく、また、ネジで止めるようにしてもよいし、超音波溶着により熱溶着で取付けるようにしてもよい。
更に、予め羽根後縁部２２に抜け止め用の溝を形成し、その溝に帯状に形成した櫛状の繊維２３ａを嵌合させる構成にしてもよい。
【００２２】
帯状に形成するのは、櫛状の合成繊維毛からなる繊維に限定されることなく櫛状の合成繊維毛を束にした繊維を帯状に形成することも含まれる。
そして、この帯状に形成した櫛状の合成繊維毛を束にした繊維２３ｂを羽根後縁部２２に接着剤で貼り付ける。
また、本実施の形態では、合成繊維毛を例に挙げたが、これに限られず、天然繊維であっても本発明の目的、効果を奏することができる。
【産業上の利用可能性】
【００２３】
羽根を構成する羽根後縁部に櫛状の繊維を設けた構造にすることで、羽根後縁部と櫛状の繊維を構成する合成繊維毛の束との隙間に停滞する渦をあえて生成させ自由表面のような状態で羽根後縁部を構成することができ、停滞を続けられずに漏れる渦が櫛状の繊維を構成する合成繊維毛と干渉することで騒音を低減させることができる室外機を提供する。
【符号の説明】
【００２４】
１１      ケーシング
１２      空気吸込口
１３      空気吸出口
１４      ベルマウス
１５      プロペラファン
１６      ハブ
１７ａ    羽根
１７ｂ    羽根
１７ｃ    羽根
１７ｄ    羽根
１８      羽根本体部
１９      羽根前縁部
２１      先端部
２２      羽根後縁部
２３      繊維
２３ａ    繊維
２３ｂ    繊維
２４      合成繊維毛
２５      束
【図１】
2010255951.tif 000003
【図２】
2010255951.tif 000004
【図３】
2010255951.tif 000005
【図４】
2010255951.tif 000006
【図５】
2010255951.tif 000007